(57)【要約】【課題】アイコンが示す詳細情報の内容を明瞭に表示すること。【解決手段】表示装置１０は、表示画面２０Ａに被写体画像Ｉと各種の情報に関するアイコンとを表示する液晶ディスプレイ２０と、表示画面２０Ａ上の操作者の視線位置を検出する視線検出部３１と、視線検出部３１によって視線位置が一つのアイコン上にあることが検出されると、そのアイコンが示す情報である第１の情報を表示させ、視線検出部３１によって視線位置が第１の情報上にあることが検出されると、この第１の情報の詳細な情報である第２の情報を表示させる表示制御部３４と、を備える。【選択図】図２
2015232811.tif 000002
【特許請求の範囲】
【請求項１】
表示画面に各種のアイコンを表示する表示手段と、
前記表示画面上のユーザの視線位置を検出する視線検出手段と、
前記視線検出手段によって前記視線位置が前記アイコン上にあることが検出されると、前記アイコンが示す内容に関する第１の情報を前記表示画面の第１の所定領域に表示させ、前記視線検出手段によって前記視線位置が前記第１の所定領域内の第１の特定位置上にあることが検出されると、前記第１の情報に関する詳細な情報である第２の情報を前記表示画面の第２の所定領域に表示させる表示制御手段と、を備えることを特徴とする表示装置。
【請求項２】
請求項１に記載の表示装置において、
前記第１の特定位置は、前記第１の所定領域の全域であることを特徴とする表示装置。
【請求項３】
請求項１に記載の表示装置において、
前記表示制御手段は、前記視線検出手段によって前記視線位置が前記第１の所定領域内の第２の特定位置上にあることが検出されると、前記第２の情報とは異なる第３の情報を前記表示画面の第３の所定領域に表示させることを特徴とする表示装置。
【請求項４】
請求項３に記載の表示装置において、
前記第３の情報は、前記第１の情報と同種である複数の情報を含み、
前記表示制御手段は、前記視線検出手段によって前記視線位置が前記第３の所定領域内の前記同種の複数の情報のうちの一つの情報上にあることが検出されると、当該一つの情報に関する詳細な情報を前記表示画面の第４の所定領域に表示させることを特徴とする表示装置。
【請求項５】
請求項１〜４のいずれか１項に記載の表示装置において、
前記表示制御手段は、前記アイコンが前記表示画面に表示された状態で前記第１の情報を前記表示画面の第１の所定領域に表示させると共に、前記第２の情報を前記表示画面の第２の所定領域に表示させるときに、前記第１の情報を消去させることを特徴とする表示装置。
【請求項６】
請求項１〜５のいずれか１項に記載の表示装置において、
前記表示手段は、被写体画像を前記表示画面に表示し、
前記表示制御手段は、前記第１の情報を前記被写体画像に重畳させて前記表示画面の第１の所定領域に表示させ、前記第２の情報を前記被写体画像に重畳させて前記表示画面の第２の所定領域に表示させることを特徴とする表示装置。
【請求項７】
請求項３に記載の表示装置において、
インターネット経由でメールを受信する受信部を更に備え、
前記第１の情報は、前記メールの受信状況の情報を含み、
前記表示制御手段は、前記第２の情報として前記受信したメールの一覧を表示させ、前記第３の情報として前記受信したメールの内容を表示させることを特徴とする表示装置。
【請求項８】
請求項７に記載の表示装置において、
前記メールの受信状況の情報は、新着メールの件数または未読メールの件数を含み、
前記受信したメールの一覧表示は、メールのタイトルとメールの送信日時情報とを含むことを特徴とする表示装置。
【請求項９】
請求項１〜８のいずれか１項に記載の表示装置において、
前記アイコンは前記表示画面の周辺領域に表示され、
前記第１又は第２の所定領域は、前記表示画面の中央部であることを特徴とする表示装置。
【請求項１０】
請求項１〜９のいずれか１項に記載の表示装置において、
前記表示制御手段は、前記視線検出手段によって前記視線位置が前記アイコン上にあることが検出されると、当該アイコンの表示態様を変更し、前記視線検出手段によって前記視線位置が前記第１の特定位置上にあることが検出されると、前記第１の情報の表示態様を変更することを特徴とする表示装置。
【請求項１１】
請求項１〜１０のいずれか１項に記載の表示装置において、
前記表示制御手段は、前記第１の情報の表示後に、前記視線検出手段によって前記視線位置が前記第１の所定領域以外の領域にあることが検出されると、前記第１の情報を消去し、前記第２の情報の表示後に、前記視線検出手段によって前記視線位置が前記第２の所定領域以外の領域にあることが検出されると、前記第２の情報を消去することを特徴とする表示装置。
【請求項１２】
請求項１〜１０のいずれか１項に記載の表示装置において、
前記表示制御手段は、前記第１の情報の表示後に、前記視線検出手段によって前記視線位置が前記第１の所定領域以外の領域にあることが検出されると、前記第１の情報の表示態様を変更し、前記第２の情報の表示後に、前記視線検出手段によって前記視線位置が前記第２の所定領域以外の領域にあることが検出されると、前記第２の情報の表示態様を変更することを特徴とする表示装置。
【請求項１３】
請求項１１に記載の表示装置において、
前記視線検出手段の出力に基づき、ユーザの視線位置が連続的に前記アイコン上にある時間を計時する第１の計時手段と、
前記視線検出手段の出力に基づき、ユーザの視線位置が連続的に前記第１の所定領域以外の領域にある時間を計時する第２の計時手段と、
前記視線検出手段の出力に基づき、ユーザの視線位置が前記第１の所定領域上にある連続時間を計時する第３の計時手段と、
前記視線検出手段の出力に基づき、ユーザの視線位置が前記第２の所定領域以外の領域にある連続時間を計時する第４の計時手段と、を更に備え、
前記表示制御手段は、前記第１の計時手段によって第１の所定時間が計時された時に、前記第１の情報を前記表示画面に表示させ、前記第２の計時手段によって第２の所定時間が計時された時に、前記第１の情報の表示を消去し、前記第３の計時手段によって第３の所定時間が計時された時に、前記第２の情報を前記表示画面に表示させ、前記第４の計時手段によって第４の所定時間が計時された時に、前記第２の情報の表示を消去し、
前記第１の所定時間は、前記第２の所定時間よりも長く設定すると共に、前記第３の所定時間は、前記第４の所定時間よりも長く設定することを特徴とする表示装置。
【請求項１４】
請求項１〜１３のいずれか１項に記載の表示装置において、
前記アイコンには、アイコンに関する視線検出により前記第１の情報が表示され、前記第１の情報に関する視線検出により前記第２の情報が表示される第１のアイコンと、アイコンに関する視線検出により前記第１の情報が表示され、前記第１の情報に関する視線検出により前記第２の情報が表示され、前記第２の情報に関する視線検出により第４の情報が表示される第２のアイコンとが存在し、
前記表示制御手段は、前記第１のアイコンについて前記第２の情報に関する前記第１の所定領域上に前記視線位置があることが検出されると、前記第２の情報を前記第４の情報が存在しないことを示す為の表示態様に変更し、前記第２のアイコンについて前記第２の情報に関する前記第１の所定領域上に前記視線位置があることが検出されると、前記第２の情報を前記第４の情報が存在することを示す為の表示態様に変更することを特徴とする表示装置。
【請求項１５】
請求項１〜１４のいずれか１項に記載の表示装置と、
撮影手段とを有するデジタルカメラ。
【発明の詳細な説明】
【技術分野】
【０００１】
本発明は、視線検出機能を有する表示装置及びこの表示装置を備えるデジタルカメラに関する。
【背景技術】
【０００２】
タッチタブレット上に左右２つの画面を設け、左画面には被写体画像と各種のアイコンを表示し、いずれかのアイコンをタッチすると、そのアイコンが示す情報、例えば被写体に関連する詳細な情報を表示し、右画面には被写体画像のサムネイル画像を表示する画像表示装置が知られている。このタッチタブレットの代わりに電子ファインダとした場合は、タッチの代わりに視線検出によって画面上の位置を指定することもできる（例えば、特許文献１参照）。
【先行技術文献】
【特許文献】
【０００３】
【特許文献１】特開２００８−１６０８７９号公報
【発明の概要】
【発明が解決しようとする課題】
【０００４】
ところが、特許文献１の画像表示装置では、左画面には被写体画像と各種のアイコンを表示し、右画面には被写体画像のサムネイル画像を表示するため、表示画面の大きさが限られている装置では、アイコンが示す情報の更に詳細な情報を表示してもその内容を識別し難いという問題がある。
【課題を解決するための手段】
【０００５】
請求項１の発明による表示装置は、表示画面に各種のアイコンを表示する表示手段と、前記表示画面上のユーザの視線位置を検出する視線検出手段と、前記視線検出手段によって前記視線位置が前記アイコン上にあることが検出されると、前記アイコンが示す内容に関する第１の情報を前記表示画面の第１の所定領域に表示させ、前記視線検出手段によって前記視線位置が前記第１の所定領域内の第１の特定位置上にあることが検出されると、前記第１の情報に関する詳細な情報である第２の情報を前記表示画面の第２の所定領域に表示させる表示制御手段と、を備えることを特徴とする。
【発明の効果】
【０００６】
請求項１の発明による表示装置によれば、視線検出によりアイコンが示す詳細情報を２段階で表示画面に表示させるので、詳細な情報の内容を明瞭に認識することができる。
【図面の簡単な説明】
【０００７】
【図１】本発明の実施の形態に係るデジタルカメラの外観を模式的に示す背面図である。
【図２】本発明の実施の形態に係るデジタルカメラの主要部の構成を示すブロック図である。
【図３】第１の実施の形態に係るデジタルカメラの表示画面の内容を示す図である。
【図４】本発明の実施の形態に係るデジタルカメラの動作を説明するフローチャートである。
【図５】第２の実施の形態に係るデジタルカメラの表示画面の内容を示す図である。
【図６】第３の実施の形態に係るデジタルカメラの表示画面の内容を示す図である。
【図７】第４の実施の形態に係るデジタルカメラの表示画面の内容を示す図である。
【図８】第５の実施の形態に係るデジタルカメラの表示画面の内容を示す図である。
【発明を実施するための形態】
【０００８】
以下、本発明の実施の形態によるデジタルカメラの構成について、図面を参照しながら説明する。
−第１の実施の形態−
＜構成＞
図１を参照すると、本実施の形態によるデジタルカメラ１は、直方体状のカメラボディの上面に電源ボタン１１、レリーズボタン１２が設けられ、カメラボディの背面にズームレバー１３、再生ボタン１４、消去ボタン１５、マルチセレクタ１６、視線検出用カメラ１７（以下、カメラ１７ともいう）及び液晶ディスプレイ２０が設けられている。また、カメラボディの正面には、撮影レンズ（不図示）が設けられている。
【０００９】
ズームレバー１３は、左右方向に傾動可能に構成され、右方に傾けると撮影レンズのズームアップ、左方に傾けると撮影レンズのズームダウンを指令するための部材である。再生ボタン１４は、デジタルカメラ１の記憶部（不図示）に記憶された画像などを液晶ディスプレイ２０に再生表示するための部材である。消去ボタン１５は、後述するが、視線入力中に選択された指示をキャンセルするための部材である。マルチセレクタ１６は、輪帯状の回転部材１６ａとその中央部に配置された押圧部材１６ｂとを有し、回転部材１６ａを回転させてモードのメニューから所望のモードを選択し、押圧部材１６ｂを押圧することでそのモードを決定するための部材である。
【００１０】
視線検出用カメラ１７は、液晶ディスプレイ２０の表示画面２０Ａを見つめて視線入力動作を行う操作者（ユーザ）の眼を撮影する。なお、視線検出用カメラ１７の配設位置は、液晶ディスプレイ２０の上側に限らず、液晶ディスプレイ２０の右側、左側又は下側でもよい。また、視線検出用カメラ１７の台数は複数でもよい。
【００１１】
液晶ディスプレイ２０の表示画面２０Ａには、複数のアイコン２１、２２、２３、２４が表示され、操作者は、表示画面２０Ａを見つめることによって、操作者の視線位置（注視点）に合致したアイコンを選択することができる。また、表示画面２０Ａには、撮影画像のスルー画像（ライブビュー画像）や再生画像、メニューなどの文字情報なども表示される。
【００１２】
図２のブロック図を参照しながら、各ブロックの機能を説明する。デジタルカメラ１は、前述した視線検出用カメラ１７及び液晶ディスプレイ２０に加えて、撮影部１８、記憶部１９及び制御部３０を備える。
撮影部１８は、ズーミングレンズとフォーカシングレンズと絞りとを有する撮影レンズ及び撮像素子等を備え、被写体を撮影し、被写体画像データを生成する。
記憶部１９は、例えばメモリカードであり、被写体画像データなどの画像データや、画像データとこれに関連付けられた属性データとを有する画像ファイル等を記憶する。
【００１３】
制御部３０は、視線検出部３１、判定部３２、計時部３３及び表示制御部３４を有し、視線検出用カメラ１７、撮影部１８、記憶部１９及び液晶ディスプレイ２０の各ブロックとの間で電気信号或いはデータの授受を行うことにより、各種の演算や、不図示のＲＯＭに記憶されているプログラムを実行する。
図２のブロック図に示したデジタルカメラ１の構成において、表示装置１０は、視線検出用カメラ１７、液晶ディスプレイ２０及び制御部３０を含むものである。
【００１４】
図２の制御部３０が有する各ブロックについて説明する。
視線検出部３１は、視線検出用カメラ１７と協働して表示画面２０Ａ上の操作者の視線位置を検出する。具体的には、視線検出部３１は、カメラ１７によって撮影された操作者の眼の画像データを画像処理し、解析することによって操作者の視線方向、すなわち、表示画面２０Ａ上の操作者の視線位置（注視点）を検出することができる。
【００１５】
判定部３２は、視線検出部３１の検出信号に基づき、視線位置が表示画面２０Ａ上の種々の所定の位置のいずれにあるかを判定し、判定信号を出力する。例えば、判定部３２は、視線検出部３１の検出信号に基づき、操作者の視線位置が表示画面２０Ａ上における複数のアイコン２１〜２４のうちのいずれか一つのアイコンに合致したことを判定し、その旨の判定信号を出力する。
【００１６】
判定部３２が視線位置が表示画面２０Ａ上の種々の所定の位置にあると判定して判定信号を出力すると、計時部３３は、この判定信号に応じて計時を開始し、判定信号が連続して発生している時間を計時して、所定の計時時間に達すると計時信号を出力する。
【００１７】
表示制御部３４は、判定部３２の判定信号及び計時部３３の計時信号に基づき、表示画面２０Ａにアイコンに対応する詳細情報を表示したり、その詳細情報の表示態様を変更したり、その詳細情報を消去したりする。更に、表示制御部３４は、操作者の視線位置がアイコン上又は上記の表示された詳細情報上にあると、そのアイコン又は詳細情報について表示態様を変更する。例えば、注視されているアイコン又は詳細情報を点滅表示したり、表示色を目立つ色に変更したり、背景色を反転表示するなど詳細情報を強調表示する。本明細書では、これらの強調表示を総称してハイライト表示と称する。これにより、操作者は、自分の視線位置がどのアイコン又は詳細情報にあるのかを知ることができる、換言すると、自分がアイコンや詳細情報を注視していることを視線検出用カメラ１７及び視線検出部３１が検出したことを、確認することができる。
【００１８】
図３を参照しながら、液晶ディスプレイ２０の表示画面２０Ａに表示されたアイコン及び詳細情報について説明する。
図３（ａ）の表示画面２０Ａには、その中央部に被写体画像Ｉが表示され、その周辺部に複数のアイコン２１、２２、２３、２４が一例として表示されている。本実施の形態では、被写体画像Ｉは、本撮影の準備段階において撮影部１８によって取得されたライブビュー画像（スルー画像）である。
【００１９】
電池アイコン２１は、電池の形がデザインされており、電池残量に関するアイコンである。静止画アイコン２２は、図中、「１６Ｍ」と表されており、静止画の画像モード、画像サイズ、画質などに関するアイコンである。動画アイコン２３は、図中、「１０８０」及び「３０」と表されており、動画の画像サイズ、画質やフレームレートなどに関するアイコンである。ズームアイコン２４は、ズームレンズのズーミングで決まる焦点距離に関するアイコンである。電池アイコン２１、静止画アイコン２２、動画アイコン２３、ズームアイコン２４は、それぞれ、表示画面２０Ａの所定領域、即ち所定の表示領域１２１、１２２、１２３、１２４内に表示される。なお、この所定領域１２１、１２２、１２３、１２４は、その所定領域を囲む表示枠によって表示されている。図２の判定部３２は、視線検出部３１の検出信号に基づき操作者の視線が所定領域内に存在すると判定すると、操作者がその所定領域内のアイコンを注視していると判断する。
【００２０】
図３（ｂ）の表示画面２０Ａには、被写体画像Ｉ及びアイコン２１〜２４に加えて、詳細情報としての第１の情報２１ａが表示されている。第１の情報２１ａは、操作者が電池アイコン２１の所定領域１２１ａ内を所定時間注視し続けた結果、表示画面２０Ａのほぼ中央部の所定領域１２１ａ内に被写体画像Ｉに重畳して表示される。なお、この所定領域１２１ａも、その所定領域を囲む表示枠によって、表示されている。また、第１の情報２１ａは、電池残量アイコン２１の電池残量情報のより詳細な情報である「電池残量  80%」という文字情報で表示されているので、操作者は、電池残量の詳しい情報を得ることができる。第１の情報２１ａは、その背後に被写体画像Ｉが見える程度に半透過状態で表示される。なお、第１の情報２１ａが表示されている時にも、アイコン２１〜２４は、表示状態のままである。
【００２１】
図２の判定部３２は、視線検出部３１の検出信号に基づき操作者の視線が所定領域１２１ａ内に存在すると判定すると、操作者が第１の情報２１ａを注視していると判断する。操作者がこの第１の情報２１ａの所定領域１２１ａ内を所定の時間注視し続けると、第１の情報２１ａの代わりに第１の情報２１ａよりも更に詳細な情報である第２の情報が表示される。
【００２２】
図３（ｃ）の表示画面２０Ａには、被写体画像Ｉ及びアイコン２１〜２４に加えて、詳細情報としての第２の情報２１ｂが表示されている。第２の情報２１ｂは、表示画面２０Ａのほぼ中央部の所定領域１２１ｂ内に表示される。なお、この所定領域１２１ｂも、その所定領域を囲む表示枠によって、表示されている。また、第２の情報２１ｂは、第１の情報２１ａである「電池残量  80%」に加えて「静止画  120枚、動画  40分、再生  3時間」という文字情報を含み、現在の電池残量では、静止画ならば120枚の撮影が可能であり、動画ならば40分の撮影が可能であり、画像の再生ならば3時間の再生が可能であることを示す。従って、操作者は電池残量に関して一層詳しい情報或いは付加情報を得ることができる。第２の詳細情報２１ｂも、その背後に被写体画像Ｉが見える程度に半透過状態で表示される。なお、第２の情報２１ｂの表示に応じて、第１の情報２１ａは消去されるが、アイコン２１〜２４は、表示状態のままである。
【００２３】
一方、表示されている第１又は第２の情報２１ａ、２１ｂは、操作者の視線位置がその第１又は第２の情報２１ａ、２１ｂの所定領域１２１ａ、１２１ｂ内から所定領域外に移動することによって非表示、つまり表示画面２０Ａ上から消去される。すなわち、判定部３２は、操作者の視線位置が所定領域１２１ａ、１２１ｂ内から所定領域外に移動すると、その旨の判定信号を出力し、計時部３３は、当該判定信号に応じて計時を開始し、所定の計時時間に達すると計時信号を出力し、表示制御部３４は、視線位置が所定領域１２１ａ、１２１ｂ外に移動して所定の時間が経過したことにより、表示されている第１又は第２の情報２１ａ、２１ｂを非表示とする。
【００２４】
また、図３で説明したように、電池アイコン２１が注視されると１段目の第１の情報２１ａが表示され、更に、第１の情報２１ａが注視されると２段目の第２の情報２１ｂが表示される。すなわち、アイコンに対応する詳細な情報が２段階で表示されるのが本実施の形態のデジタルカメラ１の大きな特徴である。
【００２５】
＜動作＞
図４のフローチャートを参照しながら、電池アイコン２１に関する詳細な情報の表示およびその消去について説明する。電源ボタン１１を押下して電源を入れると、本撮影の準備段階である図３（ａ）の表示画面２０Ａが現れる。ステップＳ１１で、操作者が表示画面２０Ａ上の電池アイコン２１を注視すると、カメラ１７は操作者の眼を撮影し、視線検出部３１は、カメラ１７によって撮影された操作者の眼の画像データを画像処理し、解析することによって表示画面２０Ａ上の操作者の視線位置（注視点）を検出し、判定部３２は、操作者の視線位置が電池アイコン２１の所定領域１２１に入っていると判定する。表示制御部３４は、このような判定部３２による判定を操作者に知らせるために、電池アイコンの表示態様を変更する、例えば、電池アイコンをハイライト表示する。
【００２６】
ステップＳ１２で、計時部３３は、操作者の視線位置が電池アイコン２１の所定領域１２１に連続的に存在する時間を計時する、即ち、判定部３２が視線位置が電池アイコン２１の所定領域１２１に入っていると判定して、判定信号を出力し続ける時間を計時する。ステップＳ１３では、計時部３３は、連続的な時間が所定の時間Ｔ１に達すると計時信号を出力する。ステップＳ１４では、時間Ｔ１が経過したことにより、表示制御部３４は、表示画面２０Ａを図３（ａ）に示す画面から図３（ｂ）に示す画面に変える。すなわち、表示制御部３４は、図３（ｂ）に示すように第１の情報２１ａを追加して表示する。なお、操作者がこの第１の情報２１ａを判読するためにそれを注視すると、判定部３２が視線位置が第１の情報２１ａの所定領域１２１ａ内に存在すると判定して、この判定に応じて表示制御部３４は、第１の情報２１ａの表示態様を変更する、例えば第１の情報２１ａをハイライト表示する。
【００２７】
ステップＳ１５では、判定部３２は、視線位置が第１の情報２１ａの所定領域１２１ａ内から所定領域外に移動したか否かを判定し、視線位置が所定領域外に移動したと判定した場合は、これに応じて表示制御部３４が第１の情報２１ａのハイライト表示を中止すると共にステップＳ１６へ移行する。判定部３２が視線位置が所定領域１２１ａ外に移動しない、即ち、視線位置が所定領域１２１ａ内に留まっていると判定した場合はステップＳ１９へ移行する。
【００２８】
ステップＳ１６では、計時部３３は、視線位置が第１の情報２１ａの所定領域１２１ａからその外に移動すると計時を開始し、連続的な時間を計時する。ステップＳ１７では、計時部３３は、連続的な時間が所定の時間Ｔ２に達すると計時信号を出力する。ステップＳ１８では、時間Ｔ２が経過したことにより、表示制御部３４は、表示画面２０Ａから第１の情報２１ａを消去し、図３（ａ）に示す表示画面２０Ａの状態に戻す。この状態で、視線入力動作は終了し、本撮影動作に移行する。
ここで、所定の時間Ｔ１と所定の時間Ｔ２の長さの関係については、所定の時間Ｔ１は所定の時間Ｔ２よりも長く設定されている。
【００２９】
ステップＳ１５から移行したステップＳ１９では、計時部３３は、操作者の視線位置が第１の情報２１ａの所定領域１２１ａに連続的に存在する時間の計時を行う。ステップＳ２０では、計時部３３は、連続的な時間が所定の時間Ｔ３に達すると計時信号を出力する。ステップＳ２１では、時間Ｔ３が経過したことにより、表示制御部３４は、表示画面２０Ａを図３（ｂ）に示す画面から図３（ｃ）に示す画面に変える。すなわち、表示制御部３４は、図３（ｃ）に示すように第２の情報２１ｂを表示する。操作者がこの第２の情報２１ｂを判読するためにそれを注視すると、判定部３２が視線位置が第２の情報２１ｂの所定領域１２１ｂ内に存在すると判定して、この判定に応じて表示制御部３４は、第２の情報２１ｂの表示態様を変更する、例えば第２の情報２１ｂをハイライト表示する。
【００３０】
ステップＳ２２では、判定部３２は、視線位置が第２の情報２１ｂの所定領域１２１ｂ内から所定領域外に移動したか否かを判定し、視線位置が所定領域１２１ｂ外に移動したと判定した場合は、これに応じて表示制御部３４が第２の情報２１ｂのハイライト表示を中止すると共にステップＳ２３へ移行する。判定部３２が視線位置が所定領域１２１ｂ外に移動せずに所定領域１２１ｂ内に留まっていると判定した場合には、ステップＳ２２へ戻る。ステップＳ２３では、計時部３３は、視線位置が第２の情報２１ｂの所定領域１２１ｂ外に移動すると計時を開始し、連続的な時間を計時する。ステップＳ２４では、計時部３３は、連続的な時間が所定の時間Ｔ４に達すると計時信号を出力する。ステップＳ２５では、時間Ｔ４が経過したことにより、表示制御部３４は、表示画面２０Ａから第２の情報２１ｂを消去し、図３（ａ）に示す表示画面２０Ａの状態に戻す。この状態で、視線入力動作は終了し、本撮影動作に移行する。
ここで、所定の時間Ｔ３と所定の時間Ｔ４の長さの関係については、所定の時間Ｔ３は所定の時間Ｔ４よりも長く設定されている。
【００３１】
第１の実施の形態のデジタルカメラ１によれば以下の作用効果を奏する。
（１）視線検出により電池アイコン２１が選択されると、表示画面２０Ａ上に、被写体画像Ｉに重畳させて電池アイコン２１に関する詳細情報である第１及び第２の情報を２段階で表示し、１段目の第１の情報２１ａを表示後に更に詳しい情報を知りたい場合は、２段目の第２の情報２１ｂを表示するので、必要に応じてより一層詳しい情報を得ることができる。
【００３２】
（２）操作者が電池アイコン２１を所定時間注視する、即ち、視線検出部３１によって視線位置が電池アイコン２１の所定領域１２１内に存在することが所定時間、検出されると、表示画面２０Ａ上に、１段目の第１の情報２１ａが表示され、視線が第１の情報２１ａの所定領域１２１ａから所定時間外れると、第１の情報２１ａが消去され、視線が第１の情報２１ａの所定領域１２１ａ内に所定時間存在すると、第２の情報２１ｂが表示され、視線が第２の情報２１ｂの領域１２１ｂから所定時間外れると、第２の情報２１ｂが消去されるので、視線のみによる表示変更／非表示（消去）を行うことができる。
（３）操作者がアイコン又は第１の情報を注視すると、そのアイコン又は第１の情報の表示態様を変更するので、操作者は、視線検出部３１が視線位置を検出していることを、確認することができる。
【００３３】
（４）操作者の視線位置がいずれかのアイコン又は第１の情報の所定領域に入ると計時を開始し、所定の時間を計時すると計時信号を出力した後に、それぞれ第１の情報又は第２の情報を表示し、また、視線位置がアイコン又は第１、第２の情報の所定領域内から所定領域外に移動すると計時を開始し、所定の計時時間に達すると計時信号を出力する計時部３３を設けたので、操作者の視線が不用意に一時的に所定領域内外に移動しても、それに応じて表示が切り替わったり消去されることを防止することができる。
【００３４】
（５）操作者の視線位置が電池アイコン２１の表示領域１２１に連続的に存在する所定の時間Ｔ１が第１の情報２１ａの所定領域１２１ａから視線位置が外れた後の連続的な所定の時間Ｔ２よりも長く設定され、操作者の視線位置が第１の情報２１ａの所定領域１２１ａに連続的に存在する所定の時間Ｔ３が第２の詳細情報２１ｂの所定領域１２１ｂから視線位置が外れた後の連続的な所定の時間Ｔ４よりも長く設定されているので、操作者がアイコン又は第１の情報を確実に注視していることを確認することができると共に、操作者が第１又は第２の情報を既に認識し次の操作に移りたい意思に応じて迅速に第１又は第２の情報の表示消去を達成することができる。
【００３５】
−第２の実施の形態−
第２の実施の形態によるデジタルカメラは、第１の実施の形態によるデジタルカメラ１と同一の構成であり、同様の機能を有するものである。
第１の実施の形態では、電池アイコン２１に関する詳細情報である第１及び第２の情報の表示／非表示（消去）を説明したが、第２の実施の形態では、静止画アイコン２２に関する詳細情報である第１及び第２の情報の表示／非表示（消去）を説明する。
【００３６】
図５を参照すると、図５（ａ）の表示画面２０Ａには、その中央部にライブビュー画像（スルー画像）である被写体画像Ｉ、その周辺部に複数のアイコン２１、２２、２３、２４が表示されており、図５（ａ）の表示画面２０Ａは図３（ａ）の表示画面２０Ａと同じである。
【００３７】
図５（ｂ）の表示画面２０Ａには、被写体画像Ｉ及びアイコン２１〜２４に加えて、第１の情報２２ａが所定領域１２２ａ内に表示されている。第１の情報２２ａは、静止画アイコン２２に関する詳細な情報であり、視線検出により静止画アイコン２２が選択された結果、表示画面２０Ａのほぼ中央部に表示される。第１の情報２２ａは、「画像モード  16Ｍ」という文字情報で表示されているので、操作者は、本撮影しようとする静止画の画像モードが画素数16Ｍであるという詳しい情報を得ることができる。
【００３８】
図５（ｃ）の表示画面２０Ａには、被写体画像Ｉ及びアイコン２１〜２４に加えて、第２の情報２２ｂが所定領域１２２ｂ内に表示されている。第２の情報２２ｂは、第１の情報２２ａの「画像モード  16Ｍ」を含むそれよりも更に詳細な情報であり、視線検出により第１の情報２２ａが選択された結果、表示画面２０Ａのほぼ中央部に表示される。第２の情報２２ｂは、「画像モード  16Ｍ」という文字情報に加えて「画像サイズ  4608×3456、画質  FINE」という文字情報が表示され、現在の画像モードは、画像サイズが画素数4608×3456、画質がFINEであるという一層詳しい情報或いは付加情報を得ることができる。
【００３９】
また、静止画アイコン２２の選択や静止画アイコン２２に関する第１の情報２２ａ、第２の情報２２ｂの表示／消去及びその表示態様の変更についても、電池アイコン２１の選択や電池アイコン２１に関する第１の情報２１ａ、第２の情報２１ｂの表示／非表示（消去）及びその表示態様の変更の動作を表す図４のフローチャートのとおりである。すなわち、静止画アイコン２２の例では、図４のフローチャートにおいて、ステップＳ１１では、「電池アイコン選択」を「静止画アイコン選択」に置き換え、以下同様に、ステップＳ１４では、「第１の情報２１ａを表示」を「第１の情報２２ａを表示」に、ステップＳ１８では、「第１の情報２１ａを消去」を「第１の情報２２ａを消去」に、ステップＳ２１では、「第２の情報２１ｂを表示」を「第２の情報２２ｂを表示」に、ステップＳ２５では、「第２の情報２１ｂを消去」を「第２の情報２２ｂを消去」に置き換える。
【００４０】
第２の実施の形態によるデジタルカメラも第１の実施の形態によるデジタルカメラ１と同様の作用効果を奏する。
【００４１】
−第３の実施の形態−
第３の実施の形態によるデジタルカメラも、第１の実施の形態によるデジタルカメラ１と同一の構成であり、同様の機能を有するものである。
第１の実施の形態では、電池アイコン２１に関する詳細情報である第１及び第２の情報の表示／非表示（消去）を説明したが、第３の実施の形態では、動画アイコン２３に関する詳細情報である第１及び第２の情報の表示／非表示（消去）を説明する。
【００４２】
図６を参照すると、図６（ａ）の表示画面２０Ａには、その中央部にライブビュー画像（スルー画像）である被写体画像Ｉ、その周辺部に複数のアイコン２１、２２、２３、２４が表示されており、図６（ａ）の表示画面２０Ａは図３（ａ）又は図５（ａ）の表示画面２０Ａと同じである。
【００４３】
図６（ｂ）の表示画面２０Ａには、被写体画像Ｉ及びアイコン２１〜２４に加えて、第１の情報２３ａが所定領域１２３ａ内に表示されている。第１の情報２３ａは、動画アイコン２３に関する詳細な情報であり、視線検出により動画アイコン２３が選択された結果、表示画面２０Ａのほぼ中央部に表示される。第１の情報２３ａは、「動画設定  1080/30p」という文字情報で表示されているので、操作者は、本撮影しようとする現在の動画の設定では、縦方向の画素数1080、フレームレートが毎秒30コマであるという詳しい情報を得ることができる。
【００４４】
図６（ｃ）の表示画面２０Ａには、被写体画像Ｉ及びアイコン２１〜２４に加えて、第２の情報２３ｂが所定領域１２３ｂ内に表示されている。第２の情報２３ｂは、第１の情報２３ａの「動画設定  1080/30p」を含むそれよりも更に詳細な情報であり、視線検出により第１の情報２３ａが選択された結果、表示画面２０Ａのほぼ中央部に表示される。第２の情報２３ｂは、「動画設定  1080/30p」という文字情報に加えて「サイズ  1920×1080、画質  NORMAL、フレームレート  30fps、走査方式  プログレッシブ」という文字情報が表示され、現在のサイズが画素数1920×1080、画質がNORMAL、フレームレートが毎秒30コマ、走査方式がプログレッシブであるという一層詳しい情報或いは付加情報を得ることができる。
【００４５】
また、動画アイコン２３の選択や動画アイコン２３に関する第１の情報２３ａ、第２の情報２３ｂの表示／消去及び表示態様の変更についても、電池アイコン２１の選択や電池アイコン２１に関する第１の情報２１ａ、第２の情報２１ｂの表示／非表示（消去）及び表示態様の変更の動作を表す図４のフローチャートのとおりである。すなわち、動画アイコン２３の例では、図４のフローチャートにおいて、ステップＳ１１では、「電池アイコン選択」を「動画アイコン選択」に置き換え、以下同様に、ステップＳ１４では、「第１の情報２１ａを表示」を「第１の情報２３ａを表示」に、ステップＳ１８では、「第１の情報２１ａを消去」を「第１の情報２３ａを消去」に、ステップＳ２１では、「第２の情報２１ｂを表示」を「第２の情報２３ｂを表示」に、ステップＳ２５では、「第２の情報２１ｂを消去」を「第２の情報２３ｂを消去」に置き換える。
【００４６】
第３の実施の形態によるデジタルカメラも第１の実施の形態によるデジタルカメラ１と同様の作用効果を奏する。
【００４７】
以下、第１〜第３の実施形態の変形例について説明する。
（１）上記の実施形態では、第１及び第２の情報を表示画面２０Ａのほぼ中央部に表示するものであったが、各アイコンの脇に第１及び第２の情報の内容を小さく表示してもよい。例えば、図３の電池アイコン２１の場合は、電池のマークの近傍に「80%」と表示することができる。
【００４８】
（２）上記の実施形態では、各アイコンについて詳細な情報が、第１及び第２の情報のように２段階存在する場合を説明したが、詳細な情報が３段階以上存在する、例えば第３の情報まで存在する場合であっても本発明が適用できる。
第１及び第２の情報が存在する場合では、第１の情報の所定領域内に視線位置があることが検出されると、第２の情報の存在が存在することを示す為に第１の情報を点滅表示などのハイライト表示し、第２の情報の所定領域内に視線位置があることが検出されると、第２の情報を第３の情報が存在しないことを示す為に表示色の変更などのハイライト表示に変更する。また、第１、第２及び第３の情報が３段階に階層化されている場合は、第１又は第２の情報の所定領域内に視線位置があることが検出されると、第２又は第３の情報が存在することを示す為に第１又は第２の情報を点滅表示などのハイライト表示し、第３の情報の所定領域内に視線位置があることが検出されると、第３の情報を第４の情報が存在しないことを示す為に表示色の変更などのハイライト表示に変更する。このようにすることにより、操作者は、自身が注視いている第１、第２、第３の情報に、更なる詳細な情報が存在するか否かを、を簡単に知ることができる。
（３）同様に、第１及び第２の情報が存在するアイコンと、第１〜第３の情報などが３段階以上に階層化されているアイコンとの間でも、アイコンの表示態様を予め異ならせてもよい。
【００４９】
（４）上記の実施形態では、例えば、図３に示した第１又は第２の情報２１ａ、２１ｂの表示を消去するときは、第１又は第２の情報２１ａ、２１ｂの所定領域１２１ａ、１２１ｂ内に存在した視線位置をその所定領域外に移動することで消去するものであったが、それの代わりに、第１又は第２の情報２１ａ、２１ｂの所定領域１２１ａ、１２１ｂ内に消去マークを設定して、操作者がこの消去マークを注視した時にその第１又は第２の情報の表示を消去するようにしてもよい。また、図１に示す、デジタルカメラ１の背面に設けられた消去ボタン１５を操作することで第１又は第２の情報の表示を消去するようにしてもよい。また、図１に示すレリーズボタン１２が半押しと全押しの２段階で押下する構造である場合は、このレリーズボタン１２を半押し操作することで第１又は第２の情報の表示を消去するようにしてもよい。
【００５０】
−第４の実施の形態−
図７（ａ）〜図７（ｄ）に示した第４の実施の形態によるデジタルカメラは、図５（ａ）〜図（ｃ）に示した第２の実施の形態によるデジタルカメラに類似しているが、相違点は、操作者が第１の情報の所定領域内を注視した場合に、その注視位置、即ち、視線位置が上記の所定領域内のうちの、第1の特定位置である時に第２の情報が表示され、第２の特定位置である時には第３の情報が表示される点である。
【００５１】
次に、第４の実施の形態によるデジタルカメラを第２の実施の形態と異なる点を中心に説明する。
図７（ａ）及び図７（ｃ）は、それぞれ図５（ａ）及び図５（ｃ）と同一である。図７（ｂ）において、第１の情報２２ｃが表示画面２０Ａの所定領域１２２ｃ内に表示される。この第１の情報２２ｃは、文字情報「画像モード  16Ｍ」に加えて、文字情報「変更」を含む点で、図５（ｂ）の第１の情報２２ａと異なる。この文字情報「変更」は、表示枠で示された領域２２２ｃ内に表示される。
【００５２】
図７（ｂ）において、操作者が第１の情報２２ｃの所定領域１２２ｃ内のうちの、第１の特定位置、具体的には、文字情報「変更」以外の位置を所定の時間注視した場合に、換言すると、図２の判定部３２が、視線位置が所定領域１２２ｃ内のうちの文字情報「変更」以外の位置に所定の時間存在したと判定した場合に、図７（ｃ）に示すように第２の情報２２ｂが所定領域１２２ｂ内に表示される。他方、操作者が第１の情報２２ｃの所定領域１２２ｃ内の第２の特定位置、具体的には、文字情報「変更」の領域２２２ｃ内を所定の時間注視した場合に、換言すると、図２の判定部３２が、視線位置が所定領域１２２ｃ内の領域２２２ｃ内に所定の時間存在したと判定した場合に、図７（ｄ）に示すように第３の情報２２ｄがその所定領域１２２ｄ内に表示される。この第３の情報２２ｄは、操作者が視線で選択した「画像モード  １６Ｍ」と、「変更候補  １２Ｍ」と、「変更候補  １０Ｍ」と、「変更候補  ８Ｍ」とを含む。
【００５３】
このように第３の情報２２ｄは、静止画アイコン２２に関する第１の情報２２ｃよりも更に詳細な情報ではなく、画像モードについて操作者が視線検出によって選択した「画像モード  １６Ｍ」と、視線検出によって選択可能な他の画像モード（変更候補の画像モード）として画素数１２Ｍ、１０Ｍ、及び８Ｍの画像モードとを示すものである。
【００５４】
操作者が図７（ｄ）の第３の情報２２ｄのうちの、「変更候補  １２Ｍ」と「変更候補  １０Ｍ」と「変更候補  ８Ｍ」とのいずれかの所定領域を所定時間注視すると、その注視された画像モードが、図７（ｂ）に示されたような第１の情報として表示される。例えば、「変更候補  １２Ｍ」が所定時間注視されると、図７（ｂ）の第１の情報「画像モード  １６Ｍ  変更」の「１６Ｍ」が「１２Ｍ」に修正された第１の情報、即ち「画像モード  １２Ｍ  変更」が表示される。この第１の情報「画像モード  １２Ｍ  変更」の所定領域のうち、「変更」以外の特定位置が操作者によって所定時間注視されると、「画像モード１２Ｍ」に関する第２の情報が、画像モード１６Ｍに関する図７（ｃ）の第２の情報と同様に、表示される。
【００５５】
また、第１の情報「画像モード  １２Ｍ  変更」の所定領域の「変更」の領域内が操作者によって所定時間注視されると、図７（ｄ）の第３の情報２２ｄと同様な第３の情報が表示される。この第３の情報は、図７（ｄ）の第３の情報２２ｄの「画像モード  １６Ｍ」が「画像モード  １２Ｍ」に修正され、「変更候補  １２Ｍ」が「変更候補  １６Ｍ」に修正されたものである。
【００５６】
図７（ｄ）において、第３の情報のうち「画像モード  １６Ｍ」が所定時間注視された場合には、図７（ｃ）の第２の情報２２ｂが表示される。これと同様に、図７（ｄ）の「変更候補  １２Ｍ」と「変更候補  １０Ｍ」と「変更候補  ８Ｍ」とのいずれかが所定時間注視された場合に、注視された画像モード１２Ｍ、１０Ｍ、又は８Ｍに関する第１の情報を表示する代わりに、画像モード１２Ｍ、１０Ｍ、又は８Ｍに関する第２の情報を直接に表示するようにしてもよい。このように、変更候補１２Ｍ、１０Ｍ、又は８Ｍを視線選択した場合は、図７（ｂ）、図７（ｃ）の静止画アイコン２２の表示は、「１６Ｍ」から選択された「１２Ｍ」、「１０Ｍ」又は「８Ｍ」に変更され、画像モード１２Ｍ、１０Ｍ又は８Ｍが視線選択されていることが示される。
【００５７】
以上のように、第４の実施の形態にあっては、所定のアイコン２２の注視によって表示される第１の情報２２ｃは、その所定のアイコン２２に関する詳細な情報であり、第１の情報２２ｃの第１の特定位置の注視によって表示される第２の情報２２ｂは、第１の情報２２ｃよりも更に詳細な情報であるが、第１の情報２２ｃの第２の特定位置、即ち「変更」位置２２２ｃの注視によって表示される第３の情報２２ｄは、第１の情報２２ｃの更なる詳細情報ではなく、第１の情報２２ｃと同種の情報である。
【００５８】
−第５の実施の形態−
次に、本願発明の第５の実施の形態は、スマートフォンや、タブレット端末や、ウェアラブルコンピュータ又はウェアラブルディスプレイなどを含む電子機器に関するものである。この電子機器は、操作者の視線位置を検出する不図示の視線検出装置を有する。この不図示の視線検出装置は、例えば図２のデジタルカメラ１の視線検出用のカメラ１７と視線検出部３１と判定部３２と計時部３３などから構成される。更に、電子機器は、図２のディスプレイ２０や表示制御部３４や制御部３０などと同様のディスプレイや表示制御部や制御部を有する。
【００５９】
図８（ａ）において、電子機器の表示画面２０Ｂにはその周辺部分に矩形状のメールアイコン２５が表示される。このメールアイコン２５は、壁紙などの電子機器のディスプレイの背景画像又は待ち受け画面Ｐに重畳している。操作者の視線位置が矩形状のメールアイコン２５の所定領域１２５に所定時間連続して存在していることを視線検出装置が判定すると、表示制御部は、メールアイコン２５をハイライト表示する。視線位置の所定領域１２５内への存在が所定時間継続すると、表示制御部は、メールアイコン２５に関する詳細な情報である第１の情報２５ａを表示画面２０Ｂ内の所定領域１２５ａ内に表示する。この第１の情報２５ａは、新規に受信したメール受信件数を表す「メール受信３件」と、新規受信メールを一覧表示するための「一覧」２６ａと、新規受信メールの内容を表示するための「本文」２７ａと、を含む。
【００６０】
「一覧」２６ａは、表示枠で囲まれた所定の領域２２６ａ内に表示され、同様に、「本文」２７ａは、表示枠で囲まれた所定の領域２２７ａ内に表示される。操作者が第１の情報２５ａを判読するためにそれを注視していると、視線位置が所定領域１２５ａ内に存在することを視線検出装置が判定して、表示制御部は第１の情報２５ａの表示態様をハイライト表示する。
【００６１】
操作者が第１の情報２５ａの「一覧」２６ａの所定領域２２６ａ内を所定時間注視すると、表示制御部が第１の情報２５ａに代えて、図８（ｃ）に示すように、第２の情報２５ｂを所定領域１２５ｂ内に表示する。この第２の情報２５ｂは、新規受信メール３件の各々のタイトルの情報と送信日時の情報とを含む。操作者が第２の情報２５ｂを判読するためにそれを注視していると、視線位置が所定領域１２５ｂ内に存在することを視線検出装置が判定して、表示制御部は第２の情報２５ｂの表示態様をハイライト表示する。
【００６２】
操作者が第１の情報２５ａの「本文」２７ａの所定領域２２７ａ内を所定時間注視すると、表示制御部が第１の情報２５ａに代えて、図８（ｄ）に示すように、第３の情報２５ｃを所定領域１２５ｃ内に表示する。この第３の情報２５ｃは、新規受信メール３件の各々の本文を含み、これらの本文は、操作者が第３の情報２５ｃの文字情報「次へ」を注視することによって最新のメール順にスクロールされて表示される。また、操作者が第３の情報２５ｃを判読するためにそれを注視していると、視線位置が所定領域１２５ｃ内に存在することを視線検出装置が判定して、表示制御部は第３の情報２５ｃの表示態様をハイライト表示する。
【００６３】
第３の情報であるメールの本文の表示は、操作者が図８（ｃ）の第２の情報２５ｂのメールタイトルや送信日時を所定時間注視した場合に、その注視されたメールに関する本文を図８（ｄ）に第３の情報２５ｃとして、表示しても良い。なお、第１の情報２５ａと第２の情報２５ｂと第３の情報２５ｃは、それぞれ表示画面の背景画像に重畳して表示される。
【００６４】
第１の情報の新規受信メールとは、前回に第１の情報２５ａが表示された後に新たに受信されたメールでもよく、前回に第２の情報２５ｂが表示された後に新たに受信されたメールでもよく、前回に第３の情報２５ｃが表示された後に新たに受信されたメールでもよい。また、第１の情報として、上述の新規受信メール件数の代わりに、操作者が受信メールのうち本文を未だ読んでいない未読メールの情報とすることもできる。
【００６５】
また、操作者の視線が、第１の情報２５ａの所定領域１２５ａ内から、または第２の情報２５ｂの所定領域１２５ｂ内から、または第３の情報２５ｃの所定領域１２５ｃ内から、それぞれの外に移動した場合には、それぞれの情報のハイライト表示を中止すると共に、上記の移動が所定時間継続した場合には、第１の情報２５ａ、第２の情報２５ｂ又は第３の情報２５ｃの表示を消去する。
【００６６】
本発明の表示装置１０は、デジタルカメラに限らず、携帯電話機、ヘッドマウントディスプレイ、ヘッドアップディスプレイ、グーグルグラス（Google glass）［登録商標］にも適用できる。また、デジタルカメラが電子ビューファインダーを備えている場合は、電子ビューファインダーを構成する液晶表示器にも本発明の表示装置が適用できる。
本発明は、その特徴を損なわない限り、以上説明した実施の形態に何ら限定されるものではない。
【符号の説明】
【００６７】
１：デジタルカメラ                  １０：表示装置
１７：視線検出用カメラ（カメラ）    ２０：液晶ディスプレイ
２０Ａ、２０Ｂ：表示画面            ２１：電池アイコン
２１ａ：第１の情報                  ２１ｂ：第２の情報
２２：静止画アイコン                ２２ａ、２２ｃ：第１の情報
２２ｂ：第２の情報                  ２２ｄ：第３の情報
２３：動画アイコン                  ２３ａ：第１の情報
２３ｂ：第２の情報                  ２５：メールアイコン
２５ａ：第１の情報                  ２５ｂ：第２の情報
２５ｃ：第３の情報                  ３０：制御部
３１：視線検出部                    ３２：判定部
３３：計時部                        ３４：表示制御部
【図１】
2015232811.tif 000003
【図２】
2015232811.tif 000004
【図３】
2015232811.tif 000005
【図４】
2015232811.tif 000006
【図５】
2015232811.tif 000007
【図６】
2015232811.tif 000008
【図７】
2015232811.tif 000009
【図８】
2015232811.tif 000010